(57)【要約】【課題】コンクリート壁を覆う化粧用シートに透水性を付与し、表面を常に湿潤状態に保持する。【解決手段】化粧用シート１は、柔軟で透水性である厚さ０．８〜２．５ｍｍのポリエステルの織布であるシート基材１１の表面に石材２が弾性接着剤で貼り付けてある。シート基材１１表面をマスキング材でマスキングし、弾性接着剤を塗布し、石材２をシート基材１１上に固定する。マスキング材を剥がし、接着剤の未塗布部分を透水部３とする。この化粧用シート１の裏側に保水性のマット１２を設置し、透水部３を通過した雨水が保水性マット１２に保持できるようにした。またロール状にした化粧用シート１を、ロールを展開して設置することで、希望した場所に簡易に効率よく施工することができる。【選択図】図１
2005113496.tif 000002
【特許請求の範囲】
【請求項１】
シート基材表面に接着剤で石材を貼り付けた化粧用シートであって、接着剤を塗布せずにシート基材のままの部分を設けることで透水部を形成した化粧用シート。
【請求項２】
請求項１において、シート基材裏面に保水性マットを設けた化粧用シート。
【請求項３】
請求項１または２のいずれかにおいて、シート基材がポリエステル織布である化粧用シート。
【請求項４】
請求項２または３のいずれかにおいて、保水性マットはヤシの繊維である化粧用シート。
【請求項５】
ロール状にした請求項１〜４のいずれかの化粧用シートの一端をコンクリート壁の上端部に固定し、ロールを展開してコンクリート壁面を化粧用シートで被覆する化粧用シートの施工法。
【請求項６】
シート基材表面に部分的にマスキングを施し、接着剤をシート基材全面に塗布し、マスキングを除去して石材をシート基材表面に接着固定する透水部を有する化粧用シートの製造方法。
【発明の詳細な説明】
【技術分野】
【０００１】
本発明は、コンクリート壁、コンクリートブロック壁や護岸、モルタル吹き付け斜面等の表面を自然環境に溶けこませると共に、それらの壁面を生態系保全に有効なものに転換することができる化粧用シートとその施工法及び化粧用シートの製造方法に関する。
【背景技術】
【０００２】
コンクリート壁面の化粧方法として、自然石を貼り付けたシートで壁表面を被覆する方法が提案されている。この工法は、凹凸や曲面を有する壁面に対しても適用することができる化粧方法である。
【０００３】
特許文献１（特開平１１−１７０７９８号）は、柔軟なシート基材に自然石などの表面化粧材を貼り付けたものであり、コンクリート構造物の表面を簡単に自然石で構築されたもののように化粧することができる。しかし、この化粧用シートは、シート全面に接着剤が塗布してあるのでこの接着剤により撥水されてしまい、化粧用シートの表面から裏面、または、その逆への水の動きがない。
【０００４】
このため、降雨などによってシート表面の石材に供給された水は、比較的短時間で蒸発乾燥してシート表面が乾燥状態となり、景観上はコンクリート表面が自然石風となって一応の効果が得られるが、植物、小動物、昆虫等の生育の場としては不適であり、生態系を育成することが難しかった。
【特許文献１】特開平１１−１７０７９８号
【発明の開示】
【発明が解決しようとする課題】
【０００５】
そこで、コンクリート壁、または、これと類似の場所を覆う化粧用シートに透水部を形成し、シート表面を常に湿潤状態になるように保持しようとするものである。
【課題を解決するための手段】
【０００６】
シート基材表面に接着剤で石材を貼り付けた化粧用シートにおいて、接着剤を塗布せずにシート基材のままの部分を設けることで透水部を形成し、シートを通じて水が移動できるようにし、化粧用シートの表面を湿潤状態に維持できるようにした。
また、化粧用シートの製造においては、シート基材の表面の一部をマスキングを施して接着剤を塗布することによって接着剤が塗布されない部分を形成し、化粧用シートに透水部を簡単に設けることができるようにした。
【発明を実施するための最良の形態】
【０００７】
図１及び図２に示すように、化粧用シート１は、柔軟で透水性である厚さ０．８〜２．５ｍｍのポリエステルの織布であるシート基材１１の表面に０．３〜１０ｍｍ、１０〜３０ｍｍの大きさの熔岩からなる石材２が弾性接着剤で貼り付けてある。
【０００８】
石材２は、自然環境、景観を損ねるものでなければ特に限定されないが、透水性で多孔質の熔岩が望ましい。熔岩は水分を吸収し、保湿性を有し、湿潤状態を保ちやすいため、表面に苔を育成しやすいからである。また、熔岩の孔部に微生物が付着し、水を浄化させることができるので、コンクリート製の用水路壁面、河川の護岸壁面に使用することによって河川を浄化して生態系に好ましい自然環境を得ることができる。更に、表面に生育した植物と多孔質材の気泡で断熱効果が得られる。多孔質材としては、他に天然石材の軽石、多孔質の人工軽量骨材等がある。
【０００９】
石材２は必ずしも多孔質、透水性である必要はなく、コンクリートブロック等の化粧材として使用されている御影石、鉄平石、蛇紋岩などを適宜使用することができる。
【００１０】
予め現場の地域の苔の胞子を、石材２の表面、または、多孔質材の孔に植え付けておくことにより、苔が早期に化粧用シート１の表面を覆うようになる。
【００１１】
透水部３は、千鳥格子状、縞状など適宜の形状に形成するため、石材２を接着する領域の形状を定める。
透水部３の形成方法は、化粧用シート１を製造するときに、透水部３とする部分をマスキングテープ等でマスキングして接着剤を塗布し、マスキングテープの部分に接着剤が塗布されないようにする。シート基材１１全面に弾性接着剤を塗布し、マスキングテープを除去して、熔岩等の自然石をシート基材１１表面に散布または適当間隔で置き、自然石をシート表面に接着固定する。マスキングテープを設けた部分は、接着剤が塗布されていないのでこの部分が透水部３となる。
マスキングテープを接着剤塗布後も剥がさずに残しておき、自然石をシート基材１１に接着固定した後にマスキングテープを剥がす手順にしてもよい。
【００１２】
弾性接着剤は、例えば、特開平８−６０１３５号に開示されている、変成ポリサルファイドポリマーと硬化触媒からなるもの、また、特開平９−１８８８０９号に開示されている主鎖がポリエーテルで末端に加水分解性シリル基を有する重合体と酸化鉄の粒子からなるものなどを使用する。弾性接着剤を使用することにより、接着剤塗布後もシートは柔軟性を維持しており、折り曲げや巻き取りを自由におこなうことができる。
【００１３】
完成した化粧用シート１は、ロール状に巻き取ることができ、運搬や取り扱いが簡便である。特に、弾性接着剤を使用した場合は、小さな半径でロールにしても接着剤層が柔軟性を有していて伸縮するので石材が剥がれ落ちることがない。
【００１４】
シートの裏側に取り付けられている保水性マット１２は、植物ヤシの繊維、高吸水性樹脂（例えばデンプン−アクリロニトリルグラフト重合体の加水分解物、セルロース−アクリロニトリルグラフト重合体の加水分解物など）などの保水性のある材料が用いられている。
【００１５】
図４に示すように、この化粧用シート１を壁面に設置する際は、壁の上部にロールの一端をアンカーで固定し、ロールを重力によって壁面上を転がして展開して化粧用シートで覆う。
シートの裏側に取り付ける保水性マットは、シートの裏側に付けてシートと一緒にロール状にしてもよいし、予め保水性マットを壁に設置しておいてもよい。この方法によれば、化粧用シートの設置のため人手をあまり必要とせず、効率よく施工することができる。化粧用シートを壁面に展開した後、適宜の間隔でアンカーボルトを壁面に打設して化粧用シート１を壁面に固定し、移動しないようにする。
【産業上の利用可能性】
【００１６】
本発明の化粧用シートは、透水性のシート基材表面に接着剤で石材を貼り付けた部分と接着剤が塗布されない部分が設けられており、接着剤が塗布されていない部分は透水性となり、雨水などが透水部を通じてシート裏面に供給されて裏側の保水性マットで保持され、保持された水分は、再び透水部を通ってシートの表面に供給され、化粧用シートの表面を湿潤状態に維持することができるようになった。
また、土壌中の水分がコンクリート壁の排水部等から保水性マットに移行して保持され、透水部を通過して化粧用シート表面に供給され、表面を常に湿潤状態に保つことができるようになった。
湿潤状態に保たれたシート表面は、植物、小動物、昆虫等の生育の場として適した環境となり、コンクリート壁表面に生態系保全が可能となる。
【図面の簡単な説明】
【００１７】
【図１】化粧用シートの実施例の正面図。
【図２】化粧用シートの他の実施例の正面図。
【図３】化粧用シート施工状態の斜視図。
【図４】化粧用シートを壁面に設置した状態の側面断面図。
【符号の説明】
【００１８】
１    化粧用シート
１１  シート基材
２    石材
３    透水部
１２  保水性マット
【図１】
2005113496.tif 000003
【図２】
2005113496.tif 000004
【図３】
2005113496.tif 000005
【図４】
2005113496.tif 000006